(57)【要約】【課題】冷却除湿効率の高い洗濯乾燥機を実現する。【解決手段】糸屑フィルタ１７ｂの風路面積を大きく斜に取付けて風路抵抗を低減し、循環ファン１３の吸込み口に整流板１３ｂを取付けてファン性能の低下を防止し、外槽上カバー２８と上昇風路部１０との合わせ部１２ｂを平坦にしてリントの堆積を防止することにより、風量は増加するため乾燥効率向上による乾燥時間の短縮と洗濯乾燥機の小型化が図れる。【選択図】　図１
2004008280.tif 000002
【特許請求の範囲】
【請求項１】
循環風路を外槽に取り付けて配置した該循環風路において冷却除湿し、この循環風路の吹き込み口を洗濯兼脱水槽の開口に臨んで設置することにより該吹き込み口の手前で循環空気を加熱した温風を前記洗濯兼脱水槽内に吹き込むように構成した洗濯乾燥機において、前記循環風路の途中に前記循環風路の風路断面積より大きい面積を持つ糸屑フィルタを前記風路に対して傾斜させて取付けることを特徴とする洗濯乾燥機。
【請求項２】
循環風路を外槽に取り付けて配置して該循環風路において冷却除湿し、この循環風路の吹き込み口を洗濯兼脱水槽の開口に臨んで設置することにより該吹き込み口の手前で循環空気を加熱した温風を洗濯兼脱水槽内に吹き込むように構成し、前記循環風路の途中に循環ファンを設置した洗濯乾燥機において、前記循環ファン吸い込み口に整流板を設けたことを特徴とする洗濯乾燥機。
【請求項３】
外槽と外槽カバーによって閉じられた空間内に洗濯兼脱水槽が設置され、前記外槽と外槽カバーによって循環風路の一部が形成された該循環風路において水冷除湿し、この循環風路の吹き込み口を洗濯兼脱水槽の開口に臨んで前記外槽カバーに設置することにより該吹き込み口の手前で循環空気を加熱した温風を洗濯兼脱水槽内に吹き込むように構成した洗濯乾燥機において、前記循環風路の内壁面の前記外槽と前記外槽カバーの結合部の段差を無くしたことを特徴とする洗濯乾燥機。
【請求項４】
外槽の後側と後枠板の間に上下方向に折り返して伸びる循環風路を前記外槽に取り付けて配置して該循環風路において冷却除湿し、この循環風路の吹き込み口を洗濯兼脱水槽の上部開口に臨んで設置することにより該吹き込み口の手前で循環空気を加熱した温風を洗濯兼脱水槽内に吹き込むように構成した洗濯乾燥機において、前記循環風路の途中に前記循環風路の風路断面積より大きい面積を持つ糸屑フィルタを前記風路に対して傾斜させて取付けることを特徴とする洗濯乾燥機。
【請求項５】
外槽の後側と後枠板の間に上下方向に折り返して伸びる循環風路を前記外槽に取り付けて配置して該循環風路において冷却除湿し、この循環風路の吹き込み口を洗濯兼脱水槽の上部開口に臨んで設置することにより該吹き込み口の手前で循環空気を加熱した温風を洗濯兼脱水槽内に吹き込むように構成し、前記循環風路の途中に循環ファンを設置した洗濯乾燥機において、前記循環ファン吸い込み口に整流板を設けたことを特徴とする洗濯乾燥機。
【発明の詳細な説明】
【０００１】
【発明の属する技術分野】
本発明は、洗濯乾燥機に関する。
【０００２】
【従来の技術】
洗濯、脱水および乾燥を行う洗濯乾燥機は、一般的に乾燥工程において発生する糸屑を捕集するためのフィルタが二種類（目が粗いものと細かいもの）循環風路の途中に設置されている。そして、目の細かいフィルタの面積は循環風路の風路断面積とほぼ同等かそれ以下である。また、特開平１１−３４７２８２号公報に記載されているように、送風機によって洗濯槽から吸い出した湿潤空気を水冷除湿する水冷式除湿器（水冷式熱交換器）と、除湿した空気を加熱して洗濯槽内に吹き込むヒータを備える。洗濯乾燥機の小型化を図るため循環風路は各部で折れ曲がり、前記送風機の吸込み側と吐き出し側の風路の向きが直角に曲がっている。
【０００３】
前記水冷式除湿器は、洗濯槽から吸い出した湿潤空気を除湿する除湿ダクト内に冷却水を供給し、除湿ダクト内を流れる循環空気の流勢によって冷却水の水滴を跳ね上げて空気と冷却水の接触による冷却除湿（熱交換）効率を高めるように構成している。
【０００４】
【発明が解決しようとする課題】
洗濯乾燥機において、乾燥時間を短縮するためにはヒータ入力の増大に伴う風量の増加が必要である。風量を増加するには循環ファンの性能を上げるか風路抵抗を低減させる必要がある。しかしながら、風量を増加させるために洗濯乾燥機全体の風路抵抗の半分近くを占める糸屑フィルタの面積を大きくすると風路断面積が大きくなり、洗濯乾燥機が大型化する問題がある。また、送風機は一般的にシロッコファン（循環ファン）が用いられる。洗濯乾燥機の小型化を図るためにシロッコファンの吸い込みの風路は直角に曲がっているためファンの吸い込み口で旋回流が発生してファン性能（風量）が低下する問題がある。
【０００５】
また、特開平１１−３４７２８２号公報において水冷式除湿器の下流側に空気を加熱するヒータが存在するために、除湿器内で発生した水滴が循環空気に乗って前記ヒータの位置まで飛翔しないようにすることが必要である。また、循環空気に乗って飛翔する水滴は、気化して循環空気を湿潤させることになるので、除湿効率を低下させる。
【０００６】
除湿器内で発生した水滴が該除湿器内に止めるために、この除湿器内の出口部に水滴を落下させるための部屋を設けると該除湿器が大型化し、また、水滴遮蔽リブを設けると風路抵抗が増加して通風量が減少して熱交換効率が低下する問題がある。更に、水滴を落下させるための部屋や水滴遮蔽リブを設けることにより流路曲り部の上部や凸部に繊維状塵埃が付着し、堆積して成長することによって風路抵抗が増加して通風量が減少して熱交換効率が低下する問題がある。
【０００７】
本発明の１つの目的は、風路抵抗を低減することにより風量を増加させて乾燥時間の短縮を図りながら洗濯乾燥機の小型化を実現することにある。
【０００８】
本発明の他の目的は、循環ファンの性能（風量）低下を防ぐことにより乾燥時間の短縮を図りながら洗濯乾燥機の小型化を実現することにある。
【０００９】
本発明の他の目的は、風路内のリントの堆積を防止しすることによって通風量の減少を防ぎ、熱交換効率の高い洗濯乾燥機を実現することにある。
【００１０】
本発明の他の目的は、更に、前述したような水冷式除湿器（水冷式熱交換機）を小型に構成することにある。
【００１１】
本発明の他の目的は、更に、前述したような水冷式除湿器（水冷式熱交換機）を小さな風路抵抗で実現することにある。
【００１２】
本発明の他の目的は、更に、このような水冷式除湿器（水冷式熱交換機）を備えた小型の洗濯乾燥機を実現することにある。
【００１３】
【課題を解決するための手段】
本発明は、循環風路を外槽に取り付けて配置して該循環風路において冷却除湿し、この循環風路の吹き込み口を洗濯兼脱水槽の開口に臨んで設置することにより該吹き込み口の手前で循環空気を加熱した温風を洗濯兼脱水槽内に吹き込むように構成した洗濯乾燥機において、前記循環風路の途中に前記循環風路の風路断面積より大きい面積を持つ糸屑フィルタを前記風路に対して傾斜させて取付けることを特徴とする。また、前記循環風路の途中に循環ファンを設置した洗濯乾燥機において、前記循環ファン吸い込み口に整流板を設けたことを特徴とする。また、外槽と外槽カバーによって閉じられた空間内に洗濯兼脱水槽が設置され、前記外槽と外槽カバーによって循環風路の一部が形成された該循環風路において水冷除湿し、この循環風路の吹き込み口を洗濯兼脱水槽の開口に臨んで前記外槽カバーに設置することにより該吹き込み口の手前で循環空気を加熱した温風を洗濯兼脱水槽内に吹き込むように構成した洗濯乾燥機における前記循環風路の壁面に繊維状塵埃が付着して堆積し、風路抵抗が増加するような繊維状塵埃堆積物に成長するのを抑制するものであり、具体的には、前記循環風路の内壁面の前記外槽と前記外槽カバーの結合部の段差を無くしたことを特徴とする。
【００１４】
【発明の実施の形態】
以下、本発明の実施の形態を図面を参照して説明する。
【００１５】
図１は、本発明の第１の実施の形態における洗濯乾燥機の構成を示す模式図である。この実施の形態における洗濯乾燥機は、四角筒状の外枠１の内側に有底円筒状の外槽２を防振機構（図示省略）によって懸垂するように支持し、この外槽２の内側には、側壁に多数の脱水穴３ａを形成した有底円筒状の洗濯兼脱水槽３と攪拌翼４を設け、外槽２の下側に設置した回転駆動装置５によって攪拌翼４を繰り返し正転および逆転させる。脱水穴３ａは、後述する循環空気の吹き抜けを防止して洗濯物２１の乾燥を効率的に行うために、洗濯兼脱水槽３の側壁の下部領域に設け、中間部領域と上部領域は省略するか少なくすると良い。また、攪拌翼４には、通気穴４ａを設ける。外槽２の底部は、排水電磁弁６を介して排水パイプ７に接続する。
【００１６】
外枠１の上部開口１ａはヒンジ８ａによって外枠１に取り付けた外蓋８によって開閉し、外槽２の上部開口２ａは、ヒンジ９ａによって外槽２に取り付けた内蓋９によって開閉する。そして、この洗濯乾燥機は、外蓋８および内蓋９を開放して洗濯兼脱水槽３内に洗濯物２１を投入し、内蓋９および外蓋８を閉じ、外槽２内に給水電磁弁２０によって給水して回転駆動装置５を運転して攪拌翼４を繰り返し正転および逆転させることによって洗濯物２１を攪拌して洗濯し、排水電磁弁６を開いて排水し、洗濯兼脱水槽３を高速回転させることによって脱水する。
【００１７】
外槽２内の乾燥空気を循環させて循環空気を生成する循環風路は、外槽２の側壁の下部に設けた吸い出し口２ｂと、この吸い出し口２ｂに接続されて該吸い出し口２ｂから上方に向かって伸びて洗濯水の進入を止める上昇風路部（部材）１０と、洗濯工程における外槽２の水位よりも高い位置に設置されて前記上昇上昇風路部１０を上昇してきた循環空気を折り返す上部折り返し部（部材）１１と、この上部折り返し部１１から外槽２の下側に向かって伸びる下降風路部（部材）１２と、外槽２の下側の空間に配置されて前記下降風路部１２から循環空気を吸い込む循環ファン１３と、この循環ファン１３の吐出口から外槽２の上部開口に向かって伸びる吹き出し風路部（部材）１４と、この吹き出し風路部１４の上部に接続されて循環空気を外槽２の上部開口２ａから洗濯兼脱水槽３内に吹き込む吹き込み口部（部材）１５を備える。この循環風路における上昇風路部１０は、洗濯工程における外槽２内の洗濯水が循環ファン１３に進入するのを止めるように機能する。また、循環ファン１３と該循環ファン１３に対する風路部材の接続部は、循環風路における下部折り返し部を構成する。
この循環風路は、上昇風路部１０内の上部に冷却散水部１６を備え、上部折り返し部１１内に目の粗い糸屑フィルタ１７と目の細かい糸屑フィルタ１７ｂを備え、吹き込み口部１５内に加熱ヒータ（ＰＴＣヒータ）１８を備える。
【００１８】
これらの各循環風路部材は、外槽２の後側に位置させて該外槽２の側壁に取り付けて実装する。そして、これらの循環風路部材は、洗濯後に電磁排水弁６を開いて外槽２内の洗濯水を排水し、洗濯兼脱水槽３を高速回転させて脱水した後に低速回転（５０〜４００ｒ／ｍｉｎ）させた状態で、循環ファン１３を運転することによって、外槽２および洗濯兼脱水槽３内の空気を吸い出し口２ｂから吸い込み、上昇風路部１０内を上昇する過程において冷却散水部１６から該上昇風路部１０内に供給される冷却水によって冷却除湿し、上部折り返し部１１内の糸屑フィルタ１７、１７ｂによって糸屑を捕集する。上昇風路部１０内に供給された冷却水２５は、この上昇風路部１０内の内壁面に沿って該内壁面を流下しながら該内壁面および循環空気２２を冷却し、外槽２内に流入した後に電磁排水弁６を通して排水する。その後、冷却除湿した空気は、下降風路部１２を通して循環ファン１３に吸い込み、この循環ファン１３から吹き出し風路部１４を通して吹き込み口部１５に送り込み、加熱ヒータ１８によって加熱して洗濯兼脱水槽３内の内壁面付近にむけて該洗濯兼脱水槽３の回転方向に対して逆向きに吹き込むことにより循環させながら、前記上昇風路部１０内において冷却除湿することによって洗濯物を乾燥させる。
【００１９】
図２〜図５は、前述した洗濯乾燥機の具体的な構成を示すもので、図２は、上カバーを外して外槽と循環風路部を示す洗濯乾燥機の上面図、図３は外枠の後枠板を切り欠いて循環風路部を示す洗濯乾燥機の背面図、図４は、循環ファンのカバーを外した洗濯乾燥機の下面図、図５は、図３のＡ−Ａ断面拡大図である。図１の説明と重複する説明は省略する。
【００２０】
上昇風路部材１０と下降風路部材１２の上端部を連通させる上部折り返し部材１１は、外槽２の上面の後部に位置させ、糸屑フィルタ１７、１７ｂを外枠１の上部開口１ａから水平方向に挿脱可能に収納する。目の細かい糸屑フィルタ１７ｂの風路面積は、風路抵抗を低減させるため上昇風路部材１０や下降風路部材１２の風路断面積より大きくして斜に取付けることにより外槽上カバー２８とバックパネル１４との狭い空間においても糸屑フィルタ１７ｂの後流の流路断面積を確保している。
【００２１】
循環ファン１３は、遠心羽根車１３ａと該遠心羽根車１３ａを回転させる駆動電動機１３ｃを備え、外槽２の底部の下側に取り付けることによって、外枠１内において外槽２の下側に形成される空間に前記駆動装置５と並べるように配置する。下降風路部材１２は、下端部が内側に折れ曲がって前記遠心羽根車１３ａの吸い込み口１３ｄに対向するように開口させる。そして、遠心羽根車１３ａの外周に対向する吐出口１３ｅに吹き出し風路部材１４の下端を接続する。吸い込み口１３ｄの下には吸い込み口１３ｄで旋回流が発生してファン性能（風量）が低下することを防ぐための整流板１３ｂが取付けられている。
【００２２】
洗濯槽３内で洗濯物２１から水分を奪って湿潤して上昇風路部１０内を通過する循環空気２２の水冷除湿は、冷却水散水電磁弁１６ｅから供給され冷却散水部１６から上昇風路部１０の壁面に流れ出た冷却水２５を該壁面を伝わせて該壁面の広い範囲に広げて流下させて触れさせることにより実現する。
【００２３】
循環空気２２は、洗濯物２１のリントを含み、上昇風路部１０内を上昇しているので、上昇風路部１０内に大きな突起があるとその突起にリントが付着し堆積する可能性がある。特に冷却水２５が流下する冷却散水部１６やリントが通過しやすい外槽上カバー２８と上昇風路部１０との合わせ部にリントが堆積し成長すると風路抵抗が増加して通風量が低下する。リントが堆積しても風路抵抗が増加しないように上昇風路部１０内を十分に大きくすると除湿器が大型化してしまう。そのため、図５に示すようにリントが通過しやすい外槽上カバー２８と上昇風路部１０との合わせ部１２ｂを平坦にすることにより段差（突起）を無くし、リントの堆積を防止して風路抵抗の増加と除湿器の大型化を防いでいる。
【００２４】
本実施例では、リントが通過しやすい上昇風路部１０の外側のみ段差（突起）を無くしているが上昇風路部１０の周囲全体の合わせ部を平坦にすると更にリントの堆積による風路抵抗の増加と除湿器の大型化を防ぐことができる。
【００２５】
このように構成した洗濯乾燥機は、外槽上カバー２８とバックパネル１１との狭い空間において糸屑フィルタ１７ｂの風路面積を大きく出来るので風路抵抗が低減することにより、風量は増加するため乾燥効率向上による乾燥時間の短縮を図りながら洗濯乾燥機の小型化が図れる。
【００２６】
また、循環ファン１３の吸い込み口１３ｄの下に旋回流の発生を防止するための整流板１３ｂを設けることによりファン性能（風量）の低下を防ぐことが出来るため乾燥効率向上による乾燥時間の短縮を図りながら洗濯乾燥機の小型化が図れる。
【００２７】
また、リントが通過しやすい外槽上カバー２８と上昇風路部１０との合わせ部１２ｂを平坦にすることにより段差（突起）を無くし、リントの堆積を防止して風路抵抗の増加と除湿器の大型化を防ぐことが出来る。
そして、このような水冷式除湿器（熱交換器）は衣類乾燥機や食器洗浄乾燥機、生ゴミ処理機等に用いることができる。
【００２８】
【発明の効果】
本発明は、風路抵抗が低減することにより、風量は増加するため乾燥効率向上による乾燥時間の短縮と洗濯乾燥機の小型化が図れ、ファン性能（風量）の低下を防ぐことにより乾燥効率向上による乾燥時間の短縮と洗濯乾燥機の小型化が図れ、リントの堆積を防止することにより風量の低下を防ぐことが出来、乾燥効率向上による乾燥時間の短縮と洗濯乾燥機の小型化が図れる。
【図面の簡単な説明】
【図１】本発明の第１の実施の形態における洗濯乾燥機の構成を示す模式図である。
【図２】図１に示した洗濯乾燥機の上カバーを外して外槽と循環風路部を示す上面図である。
【図３】図１に示した洗濯乾燥機の外枠の後枠板を切り欠いて循環風路部を示す背面図である。
【図４】図１に示した洗濯乾燥機の循環ファンのカバーを外した下面図である。
【図５】図３示した洗濯乾燥機のＡ−Ａ断面拡大図である。
【符号の説明】
１…外枠、１ａ…上部開口、２…外槽、２ａ…上部開口、２ｂ…吸いだし口、３…洗濯兼脱水槽、３ａ…脱水穴、４…攪拌翼、５…回転駆動装置、６…排水電磁弁、１０…上昇風路部（部材）、１０ｂ…合わせ部、１１…上部折り返し部（部材）、１２…下降風路部（部材）、１３…循環ファン、１３ｂ…整流板、１４…吹き出し風路部（部材）、１５…吹き出し口部（部材）、１６…冷却散水部、１７、１７ｂ…糸屑フィルタ、１８…加熱ヒータ、２４…バックパネル、２５…冷却水、２８…外槽上カバー。
【図１】
2004008280.tif 000003
【図２】
2004008280.tif 000004
【図３】
2004008280.tif 000005
【図４】
2004008280.tif 000006
【図５】
2004008280.tif 000007